【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  第１の基板、第２の基板ならびに前記第１の基板および前記第２の基板によって形成された試料供給部と、
前記第１の基板上であって前記第２の基板に対向する面側に設けられた第１の電極、第１のリードおよび第２のリードと、
前記第２の基板上であって前記第１の基板に対向する面側に設けられた第２の電極および第３のリードとを具備し、
前記第１の電極または前記第２の電極の一方が作用極として機能し、他方が対極として機能し、前記第１の基板および／または前記第２の基板をいずれかの基板に向けて押さえることにより、前記第２のリードおよび前記第３のリードが電気的に接触することを特徴とするバイオセンサ。
【請求項２】  前記第３のリードが複数に分割されており、前記第２のリードを複数個有することを特徴とする請求項１記載のバイオセンサ。
【請求項３】  前記第１の基板と前記第２の基板との間にスペーサ部材を有することを特徴とする請求項１記載のバイオセンサ。
【請求項４】  前記スペーサ部材が、前記第１の基板および前記第２の基板の少なくとも一方と一体化されていることを特徴とする請求項３記載のバイオセンサ。
【請求項５】  前記スペーサ部材が、前記第１の基板と一体化されていることを特徴とする請求項４記載のバイオセンサ。
【請求項６】  前記スペーサ部材が、前記第２の基板と一体化されていることを特徴とする請求項４記載のバイオセンサ。
【請求項７】  前記第２の基板が、長手方向において、前記第１の基板よりも短いことを特徴とする請求項１記載のバイオセンサ。
【請求項８】  前記試料供給部内に、フルクトースデヒドロゲナーゼ、グルコースオキシダーゼ、グルコースデヒドロゲナーゼ、アルコールオキシダーゼ、乳酸オキシダーゼ、コレステロールオキシダーゼ、キサンチンオキシダーゼおよびアミノ酸オキシダーゼよりなる群から選択される酵素を含む試薬を具備することを特徴とする請求項１記載のバイオセンサ。
【請求項９】  請求項１に記載のバイオセンサを挿入するセンサ差し込み口と、押さえ部と、測定装置と接続するための接続口とを具備し、
前記押さえ部によって押さえることにより、前記第２のリードおよび前記第３のリードが電気的に接触し、前記押さえ部が前記第１の基板および／または前記第２の基板の少なくとも一部を、他方の基板に向けて移動させることを特徴とするアダプタ。
【請求項１０】  前記押さえ部が弾性体で構成されていることを特徴とする請求項９記載のアダプタ。
【請求項１１】  請求項１に記載のバイオセンサと、押さえ部を含むアダプタと、測定手段とを具備し、
前記押さえ部によって押さえることにより、前記第２のリードおよび前記第３のリードが電気的に接触し、前記押さえ部が前記第１の基板および／または前記第２の基板の少なくとも一部を、他方の基板に向けて移動させることを特徴とする測定装置。
【請求項１２】  前記押さえ部が弾性体で構成されていることを特徴とする請求項１１記載の測定装置。
【請求項１３】  試料液中の基質を測定することを特徴とする請求項１１記載の測定装置。
【請求項１４】  前記バイオセンサの前記第１の電極に電気的に接続される第１の端子と、前記バイオセンサの前記第２の電極にそれぞれ電気的に接続される少なくとも１つの第２の端子とを具備することを特徴とする請求項１１記載の測定装置。
【請求項１５】  前記測定手段が、前記第１の端子および前記少なくとも１つの第２の端子を介して、前記バイオセンサの前記第１の電極および前記第２の電極の間に電圧を印加する手段と、前記第１の電極および前記第２の電極の間の電気的変化を測定する手段を具備することを特徴とする請求項１４記載の測定装置。
【請求項１６】  前記測定装置が、前記第２の端子を複数個有することを特徴とする請求項１４記載の測定装置。
【請求項１７】  前記測定装置が、前記第１の端子および前記複数個の第２の端子の間の電気的変化を測定する手段を具備することを特徴とする請求項１６記載の測定装置。
【請求項１８】  前記複数個の第２の端子のうち前記第１の端子に電気的に接続された第２の端子を検知する手段と、検知された第２の端子の数および位置に基づいてバイオセンサの種類を決定する手段と、前記種類に応じて測定結果を補正する手段とを具備することを特徴とする請求項１６記載の測定装置。
【請求項１９】  押さえ部と、
第１の電極に電気的に接続された第１のリード、第２のリード、第２の電極に電気的に接続された第３のリードを具備するバイオセンサを受けるセンサ差し込み口と、
前記バイオセンサの前記第１のリードを前記測定装置に電気的に接続する第１の端子と、
前記バイオセンサの前記第２のリードを前記測定装置に電気的に接続する第２の端子と、
前記第１の電極および前記第２の電極の間に電圧を印加する手段と、
前記第１の電極および前記第２の電極の間の電気的変化を測定する手段とを具備することを特徴とする測定装置。
【請求項２０】  前記第２の端子を複数個具備することを特徴とする請求項１９記載の測定装置。
【請求項２１】  前記第１の端子および前記複数個の第２の端子の間の電気的変化を測定する手段とを具備することを特徴とする請求項２０記載の測定装置。
【請求項２２】  前記押さえ部が弾性体で構成されていることを特徴とする請求項１９記載の測定装置。
【請求項２３】  前記第２の端子が前記押さえ部として機能することを特徴とする請求項１９記載の測定装置。
【請求項２４】  前記バイオセンサが、第１の基板、第２の基板ならびに前記第１の基板および前記第２の基板によって形成された試料供給部と、前記第１の基板上であって前記第２の基板に対向する面側に設けられた第１の電極、第１のリードおよび第２のリードと、前記第２の基板上であって前記第１の基板に対向する面側に設けられた第２の電極および第３のリードとを具備し、
前記押さえ部によって押さえることにより、前記第２のリードおよび前記第３のリードが電気的に接触し、前記押さえ部が前記第１の基板および／または前記第２の基板の少なくとも一部を、他方の基板に向けて移動させることを特徴とする請求項１９記載の測定装置。
【請求項２５】  試料液中の基質を測定することを特徴とする請求項２４記載の測定装置。
【請求項２６】  前記バイオセンサの前記第１の基板および／または前記第２の基板の少なくとも一部を押さえて前記第２の電極および前記第３の電極を電気的に接続し、前記バイオセンサの前記試料供給部に供給された試料液中の基質を測定することを特徴とする請求項２５記載の測定装置。
【請求項２７】  前記複数個の第２の端子のうち前記第１の端子に電気的に接続された第２の端子を検知する手段と、検知された第２の端子の数および位置に基づいてバイオセンサの種類を決定する手段と、前記種類に応じて測定結果を補正する手段とを具備することを特徴とする請求項２０記載の測定装置。
【請求項２８】  前記押さえ部が可動し、前記バイオセンサの前記第１の基板および／または前記第２の基板において押さえられる部分が、前記押さえ部によって決定されることを特徴とする請求項２４記載の測定装置。
【手続補正２】
【補正対象書類名】明細書
【補正対象項目名】００１４
【補正方法】変更
【補正の内容】
【００１４】
つぎに、本発明は、上記のバイオセンサを挿入するセンサ差し込み口と、押さえ部と、測定装置と接続するための接続口とを具備することを特徴とするアダプタを提供する。
このアダプタにおいては、前記センサ差し込み口に挿入された前記バイオセンサを受け、
前記バイオセンサが、第１の基板、第２の基板ならびに前記第１の基板および前記第２の基板によって形成された試料供給部と、前記第１の基板上であって前記第２の基板に対向する面側に設けられた第１の電極、第１のリードおよび第２のリードと、前記第２の基板上であって前記第１の基板に対向する面側に設けられた第２の電極および第３のリードとを具備し、
前記押さえ部によって押さえることにより、前記第２のリードおよび前記第３のリードが電気的に接触し、前記押さえ部が前記第１の基板および／または前記第２の基板の少なくとも一部を、例えば撓ませたり曲げたりすることによって、他方の基板に向けて移動させることが有効である。
このアダプタに用いるバイオセンサは、上述した構成を有するのが有効である。
【手続補正３】
【補正対象書類名】明細書
【補正対象項目名】００１５
【補正方法】変更
【補正の内容】
【００１５】
さらに、本発明は、上記のバイオセンサと、押さえ部を含むアダプタと、測定手段とを具備することを特徴とする測定装置を提供する。
この測定装置においても、前記バイオセンサが、第１の基板、第２の基板ならびに前記第１の基板および前記第２の基板によって形成された試料供給部と、前記第１の基板上であって前記第２の基板に対向する面側に設けられた第１の電極、第１のリードおよび第２のリードと、前記第２の基板上であって前記第１の基板に対向する面側に設けられた第２の電極および第３のリードとを具備し、
前記押さえ部によって押さえることにより、前記第２のリードおよび前記第３のリードが電気的に接触し、前記押さえ部が前記第１の基板および／または前記第２の基板の少なくとも一部を、例えば撓ませたり曲げたりすることによって他方の基板に向けて移動させ得ることが有効である。